(57)【要約】【課題】低コストで装置内部の温度上昇を抑えるとともに、電子回路や電子部品の損傷を防止することが可能なテレビジョン受像機および表示装置を提供する。【解決手段】ＣＲＴ５を用いたテレビジョン受像機１００において、本体１のフレーム２に通気孔４ａ〜４ｆを形成するとともに、内部に実装した発熱部品２０と通気孔４ａとに向けて通風孔１４を形成する。本体１の背面には、通風孔１４を塞ぐようにゴム製の膜体８を取り付ける。テレビジョン受像機１００の使用時に、膜体８を本体１の外部に向かって引張って放すことにより、通気孔４ａ〜４ｆを通して外気と本体１内部の空気とを入れ替えて本体１内部を換気する。【選択図】    図３
2004364072.tif 000002
【特許請求の範囲】
【請求項１】
受像機本体のフレームに通気孔が形成され、前記フレーム内に収納されたＣＲＴに映像を表示するテレビジョン受像機において、
前記通気孔と内部に実装した発熱部品とに向かって下降傾斜するとともに、前記発熱部品に近接させて前記フレームに形成された通風孔と、
前記通風孔を塞ぐように中央に引張り用のつまみ部を備えたゴム製の膜体であって、前記つまみ部を引張った後に放すことにより前記通気孔を通して外気と本体内部の空気とを入れ替えて換気する膜体と、
本体内部の温度を計測する温度センサと、
本体内部の湿度を計測する湿度センサと、
本体内部の温度が所定温度以上になったときまたは本体内部の湿度が所定湿度以上になったときに、前記ＣＲＴに換気表示を表示させることにより、前記膜体による本体内部の換気が必要であることを通知する通知手段と、を備えたことを特徴とするテレビジョン受像機。
【請求項２】
装置本体のフレームに通気孔が形成され、前記フレーム内に収納されたＣＲＴに映像を表示する表示装置において、
内部に実装した発熱部品に向かって形成された通風孔と、
前記通風孔を塞ぐように設けられた伸縮自在な膜体と、を備え、
前記膜体を引張って放すことにより前記通気孔を通して外気と本体内部の空気とを入れ替えて本体内部を換気することを特徴とする表示装置。
【請求項３】
請求項２に記載の表示装置において、
前記通風孔を前記発熱部品と前記通気孔とに向かって形成したことを特徴とする表示装置。
【請求項４】
請求項２または請求項３に記載の表示装置において、
前記通風孔を本体内部に向かって下降傾斜するように形成したことを特徴とする表示装置。
【請求項５】
請求項２ないし請求項４のいずれかに記載の表示装置において、
本体内部の温度を計測する温度計測手段と、
本体内部の温度が所定温度以上になったときに、前記膜体による本体内部の換気が必要であることを通知する通知手段と、を備えたことを特徴とする表示装置。
【請求項６】
請求項２ないし請求項４のいずれかに記載の表示装置において、
本体内部の湿度を計測する湿度計測手段と、
本体内部の湿度が所定湿度以上になったときに、前記膜体による本体内部の換気が必要であることを通知する通知手段と、を備えたことを特徴とする表示装置。
【発明の詳細な説明】
【０００１】
【発明の属する技術分野】
本発明は、ＣＲＴを用いたテレビジョン受像機を始めとする表示装置の内部を換気するための構造に関するものである。
【０００２】
【従来の技術】
ＣＲＴ（Ｃａｔｈｏｄｅ  Ｒａｙ  Ｔｕｂｅ：陰極線管）を用いたテレビジョン受像機を始めとする表示装置においては、装置内部にＣＲＴ、フライバックトランスおよび電源ユニット等のような発熱部品が備わっている。このため、装置の使用時に発熱部品によって内部の空気が温められて温度が上昇し、電子回路や電子部品に熱ストレスがかかってそれらの寿命が短くなってしまう。そこで、一般的には、装置本体のフレームに複数の通気孔を形成し、この通気孔から発熱部品によって温められた内部の空気を外部に放出させることにより本体内部の温度上昇を抑えるようにしている。しかし、装置の内部には多数の部品が実装されているため、単にフレームに通気孔を形成しただけでは、温められた内部の空気が通気孔から外部に流れて行き難く内部で停滞してしまい、本体内部の温度上昇を抑えることは困難である。また、高電圧が印加されるＣＲＴやフライバックトランス等は帯電して埃や塵等を吸着する性質を有しているため、フレームに複数の通気孔を形成すると、埃や塵等が通気孔から本体内部に入って溜まり易くなり、溜まった埃や塵等が湿気で反応して電子回路や電子部品のショートや腐食といった損傷を招く恐れがある。
【０００３】
上述した問題に対して、従来から種々の方策が提案されている。例えば、下記の特許文献１には、発熱部品の上方に近接するように本体背面のフレームをＶ字型に屈曲させ、その屈曲部の発熱部品との対向面に放熱孔を形成するとともに、背面のフレームの屈曲部より下側に通気孔を形成し、発熱部品によって温められた空気を放熱孔から屈曲部を通して外部に放出させ、外気を通気孔から内部に流入させることにより装置内部の温度上昇を抑える技術が開示されている。また、下記の特許文献２には、スピーカボックスの孔の近傍に配置された回路基板に放熱フィンを取り付け、孔を通ってスピーカボックスの内部と外部とを行き来する空気と放熱フィンとにより上記回路基板から発生する熱を放熱する技術が開示されている。さらに、下記の特許文献３には、本体上面のフレームに形成した複数の通気孔に空気清浄フィルタを取り付けるとともに、本体背面にファンを取り付け、ファンによって外気を通気孔から装置内部に流入させて内部の空気を外部に流出させることにより装置内部の温度上昇を抑え、空気清浄フィルタによって通気孔からの埃や塵等の侵入を遮断することにより装置内部の電子回路や電子部品の損傷を防止する技術が開示されている。
【０００４】
【特許文献１】
実開平５−６８９１号公報
【特許文献２】
実開平３−７５６９１号公報
【特許文献３】
特開平１０−１４５７０３号公報
【０００５】
【発明が解決しようとする課題】
ところが、特許文献１では、放熱孔と連通孔とを通して自然対流により装置内部の空気と外気とを入れ替えているため、空気の流れが緩やかであり、発熱部品によって温められた空気を外部に迅速に放出させることはできず、しかも、放熱孔と連通孔から離れた位置にあるＣＲＴ等の発熱部品によって温められた空気を外部に放出させ難くいので、装置内部の温度上昇を抑えることは困難であるという問題がある。また、特許文献２では、スピーカボックスの孔近傍の回路基板に取り付けられた放熱フィンの周辺の温度上昇は抑えることができるが、放熱フィンから離れた位置の温度上昇は抑えることができないという問題がある。これらに対して、特許文献３では、ファンによって装置内部の空気と外気とを強制的に入れ替えているため、発熱部品によって温められた空気を着実に外部に流出させて、装置内部の温度上昇を抑えることができ、また、空気清浄フィルタによって装置内部への埃や塵等の侵入を遮断して、電子回路や電子部品の損傷を防止することができる。しかし、特許文献３では、ファンとファンを駆動させるための駆動源と空気清浄フィルタとが必要になるので、これらを備えるために装置のコストが高くなるという問題がある。
【０００６】
本発明は、上記課題を解決するものであって、その目的とするところは、低コストで装置内部の温度上昇を抑えるとともに、電子回路や電子部品の損傷を防止することが可能なテレビジョン受像機および表示装置を提供することにある。
【０００７】
【課題を解決するための手段】
本発明は、装置本体のフレームに通気孔が形成され、フレーム内に収納されたＣＲＴに映像を表示する表示装置において、内部に実装した発熱部品に向かって形成された通風孔と、通風孔を塞ぐように設けられた伸縮自在な膜体とを設け、膜体を引張って放すことにより通気孔を通して外気と本体内部の空気とを入れ替えて本体内部を換気する。このようにすると、膜体を引張って放すことにより通気孔を通して外気と発熱部品によって温められた本体内部の空気とを強制的に入れ替えて本体内部を換気することができるので、装置内部の温度上昇を抑えることが可能となり、この結果、電子回路や電子部品の寿命を延ばすことができる。また、本体内部に入り込んだ埃や塵等を、本体内部の空気とともに通気孔を通して外部に放出させて除去することができるので、装置内部で埃や塵等が湿気で反応して電子回路や電子部品のショートや腐食といった損傷を防止することが可能となる。さらに、特許文献３のようにファンとファンの駆動源と空気清浄フィルタとを設ける必要がなくなるので、装置のコストを低く抑えることができる。
【０００８】
また、本発明においては、通風孔を発熱部品と通気孔とに向かって形成するのが好ましい。このようにすると、膜体を引張ったときに通気孔から流入した外気と、膜体を放したときに通気孔から流出する本体内部の空気とで発熱部品を冷却することが可能になるとともに、発熱部品に吸着した埃や塵等を吹き飛ばして、通気孔を通して外部に放出させて除去すること可能になる。
【０００９】
また、本発明においては、通風孔を本体内部に向かって下降傾斜するように形成するのが好ましい。本体内部に入り込んだ埃や塵等が通風孔と膜体との間に入り込むと、外部に放出させて除去し難くなるが、上記のように通風孔を形成することで、本体内部に入り込んだ埃や塵等が通風孔と膜体との間に入り込むのを防止することができ、外部に放出させて除去することが可能となる。
【００１０】
また、本発明においては、本体内部の温度を計測する温度計測手段と、本体内部の温度が所定温度以上になったときに、膜体による本体内部の換気が必要であることを通知する通知手段とを設けるのが好ましい。このようにすると、本体内部が高温になったときに、ユーザに膜体によって本体内部を換気させて、装置内部の温度上昇を抑えることが可能となり、電子部品の高熱による誤動作を防止することができる。
【００１１】
また、本発明においては、本体内部の湿度を計測する湿度計測手段と、本体内部の湿度が所定湿度以上になったときに、膜体による本体内部の換気が必要であることを通知する通知手段とを設けるのが好ましい。このようにすると、本体内部が高湿になったときに、ユーザに膜体によって本体内部を換気させて、装置内部の湿気を除去して埃や塵等を反応し難くすることができ、電子回路や電子部品の損傷を確実に防止することが可能となる。
【００１２】
さらに、本発明の典型例では、表示装置はテレビジョン受像機である。また、通風孔は、発熱部品に近接させてフレームに形成される。これにより、膜体を引張ったときに通気孔から流入した外気と、膜体を放したときに通気孔から流出する本体内部の空気とで発熱部品を一層冷却することが可能になるとともに、発熱部品に吸着した埃や塵等を着実に吹き飛ばして、通気孔を通して外部に放出させて除去すること可能になる。また、膜体は、ゴム製であって中央に引張り用のつまみ部が設けられている。これにより、つまみ部を持って膜体を容易に引張ることができる。また、温度計測手段として温度センサを設けるとともに、湿度計測手段として湿度センサを設ける。さらに、通知手段は、本体内部の温度が所定温度以上になったときまたは本体内部の湿度が所定湿度以上になったときに、ＣＲＴに換気表示を表示させることにより、膜体による本体内部の換気が必要であることを通知する。これにより、ユーザに膜体による本体内部の換気が必要であることを明確に通知することができる。
【００１３】
【発明の実施の形態】
図１〜図４は、本発明に係る表示装置の一例であるテレビジョン受像機の構造を示す図である。図１はテレビジョン受像機を前面から見た斜視図、図２は同受像機を背面から見た斜視図、図３は同受像機を側面から見た断面図、図４は同受像機に備わる膜体と通風孔の詳細構造を示す断面図である。図１において、１００はテレビジョン受像機、１はテレビジョン受像機１００の本体、２は本体１を構成するフレームである。３は本体１の脚部である。４ａ〜４ｃと図２の４ｄ、４ｅと図３の４ｆとは本体１各面のフレーム２に形成されたスリット状の通気孔であって、４ａが本体１前面の通気孔、４ｂが本体１上面の通気孔、４ｃが本体１右側面の通気孔、４ｄが本体１左側面の通気孔、４ｅが本体１背面の通気孔、４ｆが本体１底面の通気孔である。５は外部から受信した放送電波の映像を表示するＣＲＴ（Ｃａｔｈｏｄｅ  Ｒａｙ  Ｔｕｂｅ：陰極線管）、６は電源ボタンやチャンネル選択ボタンや音量調整ボタンからなる操作部である。
【００１４】
図２において、７は外部から電流の供給を受けるための電源プラグである。８は伸縮自在なゴム製の膜体である。この膜体８は、枠状の連結部材１０と図４に示す枠状の固定部材１１との間に挟み込まれることにより連結部材１０の内側に張られて固定されている。なお、膜体８は、合成繊維等の材料から形成してもよい。９は膜体８の引張り用のつまみ部である。このつまみ部９は、図４に示すように、膜体８の中央に形成された孔８ａに雄ねじ部９ａを通し、当該雄ねじ部９ａに雌ねじ９ｂが螺合されることにより膜体８の中央に取り付けられる。つまみ部９を持つと膜体８を容易に引張れるようになる。なお、つまみ部９は、膜体８と一体的に形成してもよい。１３は本体１背面のフレーム２に形成された凹部、１４は凹部１３の底面１３ａに本体１内部に向かって下降傾斜するように形成されたスリット状の通風孔である。この通風孔１４は、図３に示すように本体１内部に実装された発熱部品２０と本体１前面の通気孔４ａとに向かっているとともに、発熱部品２０に近接している。なお、本実施形態において、発熱部品２０とは、偏向ヨークや電子銃等の高電圧部分を有するＣＲＴ５の後部と、基板１５に実装されたフライバックトランスおよび電源ユニット等のことである。図４の凹部１３の段差部１３ｂに連結部材１０がねじ１２で連結されることにより、図３に示すように膜体８が通風孔１４を塞ぐように本体１背面のフレーム２に取り付けられる。
【００１５】
図５は、上記構造のテレビジョン受像機１００における本体１内部の換気状態を説明する図である。図３に示した状態からつまみ部９を持って膜体８を、図５（ａ）に示すように本体１外部に向けて引張ると、本体１内部の発熱部品２０周辺の空気が通風孔１４を通って通風孔１４と膜体８との間の凹部１３に流入し、これと同時に外気が通気孔４ａ〜４ｆを通って本体１内部に流入する。このとき、本体１前面の通気孔４ａから流入した外気が発熱部品２０に当たる。そして、つまみ部９とともに膜体８を放すと、膜体８が、図５（ｂ）に示すように反動で勢いよく本体１内部に向かってたわみ、凹部１３に流入した空気が流入時よりも早い速度で通風孔１４を通って本体１内部に流れて行き、これと同時に凹部１３に流入していなかった本体１内部の空気が通気孔４ａ〜４ｆを通って外部に流出して行く。このとき、本体１内部に入り込んだ埃や塵等が凹部１３から流れて来た空気によって本体１内部に散乱し、凹部１３に流入していなかった空気とともに通気孔４ａ〜４ｆを通って外部に放出されて行く。凹部１３から本体１内部に流れて来た空気は、発熱部品２０に当たった後通気孔４ａから外部に流出して行く。このとき、発熱部品２０に吸着している埃や塵等が凹部１３から流れて来た空気によって吹き飛ばされて本体１内部に散乱し、通気孔４ａを通って外部に放出されて行く。すなわち、上記のように膜体８を引張って放すことにより、通気孔４ａ〜４ｆを通して外気と本体１内部の空気とが入れ替わり本体１内部が換気される。特に、発熱部品２０周辺の空気は通気孔４ａを通して外気と入れ替わる。
【００１６】
上述したようにすると、テレビジョン受像機１００の使用時に、膜体８を引張って放すことにより、通気孔４ａ〜４ｆを通して外気と発熱部品２０によって温められた本体１内部の空気とを強制的に入れ替えて本体１内部を換気することができるので、受像機１００内部の温度上昇を抑えることが可能となる。また、膜体８を引張って放すことを繰り返し行うと、受像機１００内部の温度上昇を確実に抑えることが可能となる。この結果、受像機１００内部の電子回路や電子部品の寿命を延ばすことができる。また、本体１内部に入り込んだ埃や塵等を、本体１内部の空気とともに通気孔４ａ〜４ｆを通して外部に放出させて除去することができるので、受像機１００内部で埃や塵等が湿気で反応して電子回路や電子部品のショートや腐食といった損傷を防止することが可能となる。さらに、特許文献３のようにファンとファンの駆動源と空気清浄フィルタとを設ける必要がなくなるので、受像機１００のコストを低く抑えることができる。
【００１７】
また、通風孔１４を発熱部品２０と本体１前面の通気孔４ａとに向かって形成したことで、膜体８を引張ったときに通気孔４ａから流入した外気と、膜体８を放したときに通気孔４ａから流出する本体１内部の空気とを発熱部品２０に当てることができるので、発熱部品２０を冷却することが可能になるとともに、発熱部品２０に吸着した埃や塵等を吹き飛ばして、通気孔４ａを通して外部に放出させて除去することが可能になる。また上記に加え、通風孔１４を発熱部品２０に近接させて形成したことで、通気孔４ａから流入した外気と、通気孔４ａから流出する本体１内部の空気とを発熱部品２０に確実に当てることができるので、発熱部品を一層冷却することが可能になるとともに、発熱部品に吸着した埃や塵等を着実に吹き飛ばして、通気孔を通して外部に放出させて除去すること可能になる。さらに、本体１内部に入り込んだ埃や塵等が通風孔１４と膜体８との間の凹部１３に入り込むと、外部に放出させて除去し難くなるが、通風孔１４を本体１内部に向かって下降傾斜するように形成したことで、本体１内部に入り込んだ埃や塵等が凹部１３に入り込むのを防止することができ、外部に放出させて除去することが可能となる。
【００１８】
図６は、テレビジョン受像機１００の電気的構成を示すブロックである。図６において、２１は放送電波を受信するアンテナ、２２はアンテナ２１で受信された放送電波から所定のチャンネルの信号を抽出するチューナ、２３はチューナ２より出力される信号を処理して音声信号と映像信号とを出力する信号処理部である。信号処理部２３に備わる２４はＯＳＤ（Ｏｎ  Ｓｃｒｅｅｎ  Ｄｉｓｐｌａｙ）回路であって、画面の設定状況や、後述する膜体８による本体１内部の換気が必要であることを示す表示をＣＲＴ５にＯＳＤ表示する。２５は信号処理部２３からの音声信号を増幅する音声アンプ、２６は音声を出力するスピーカ、２７は信号処理部２３からの映像信号に基づいてＣＲＴ５を駆動するＣＲＴ駆動回路である。２８はテテレビジョン受像機１００の各部を制御するマイクロコンピュータ（以下、マイコンという）、２９はＲＯＭやＲＡＭから構成されるメモリ、６は図１で説明した操作部、３０は本体１内部の温度を計測する温度センサ、３１は本体１内部の湿度を計測する湿度センサである。上記の構成において、マイコン２８はＯＳＤ回路２４とともに、本発明における通知手段を構成する。温度センサ３０は、本発明における温度計測手段を構成する。湿度センサ３１は、本発明における湿度計測手段を構成する。
【００１９】
マイコン２８は、テレビジョン受像機１００の使用時に、温度センサ３０によって計測した本体１内部の温度が所定温度以上になったとき、または、湿度センサ３１によって計測した本体１内部の湿度が所定湿度以上になったときに、前述した膜体８による本体１内部の換気が必要であると判断する。そして、マイコン２８は、そのことをユーザ等に通知するために、ＯＳＤ回路２４によって膜体８による本体１内部の換気が必要であることを示す換気表示をＣＲＴ５にＯＳＤ表示する。図７は、ＣＲＴ５に表示された換気表示の一例を示す図である。図７（ａ）では、アンテナ２１で受信した放送電波の映像を表示する画面４０の右上に、「ゴム膜を引張って換気して下さい」という文字からなる換気表示４１がＯＳＤ表示されている。図７（ｂ）では、画面４２の右上に、換気扇マークからなる換気表示４３がＯＳＤ表示されている。このような換気表示４１、４３が表示されると、これを見たユーザは、膜体８を引張って放すことにより本体１内部の換気を行う。その後、マイコン２８は、本体１内部の温度が所定温度を下回り、かつ、本体１内部の湿度が所定湿度を下回ったときに、換気表示４１、４３を消去する。
【００２０】
上記のように換気表示４１、４３をＣＲＴ５に表示すると、ユーザに膜体８による本体１内部の換気が必要であることを明確に通知することができる。このため、本体１内部が高温になったときに、ユーザに膜体８によって本体１内部を確実に換気させて、受像機１００内部の温度上昇を抑えることが可能となり、電子部品の高熱による誤動作を防止することができる。また、本体１内部が高湿になったときに、ユーザに膜体８によって本体１内部を確実に換気させて、受像機１００内部の湿気を除去して埃や塵等が反応し難くすることができ、電子回路や電子部品の損傷を確実に防止することが可能となる。
【００２１】
以上述べた実施形態では、フレーム２の各面に通気孔４ａ〜４ｆを設けた例を挙げているが、本発明はこれのみに限らず、例えばフレーム２の上面に通気孔を設けないようにしてもよい。このようにした場合、埃や塵等が本体１内部に入り込み難くなる。
【００２２】
また、上記実施形態では、本体１背面に通風孔１４と膜体８とを設けた例を挙げているが、本発明はこれのみに限らず、例えば通風孔と膜体とを本体１側面に設けてもよい。また、通風孔と膜体とを本体１に２箇所以上設けてもよい。つまり、通風孔と膜体とは、本体１内部の発熱部品２０に向かう位置に設ければよい。なお、通気孔は、通風孔に向かう位置に設けるのが好ましい。
【００２３】
また、上記実施形態では、連結部材１０を段差部１３ｂにねじ１２で連結して膜体８を通風孔１４を塞ぐように設置した例を挙げているが、本発明はこれのみに限らず、例えば段差部１３ｂの上下面にロック部を設け、この段差部１３ｂに連結部材１０を嵌め込んだときにロック部で連結部材１０を保持することにより、膜体８を通風孔１４を塞ぐように設置してもよい。つまり、膜体８の設置構造としては、通風孔１４を塞ぐとともに、引張ったときに外れない構造であればよい。
【００２４】
さらに、上記実施形態では、本発明に係る表示装置としてテレビジョン受像機を例に挙げたが、本発明はこれのみに限らず、ＣＲＴを用いた表示装置全般に適用することができる。
【００２５】
【発明の効果】
本発明によれば、膜体を引張って放すことにより通気孔を通して外気と本体内部の空気とを強制的に入れ替えて換気することができるので、低コストで装置内部の温度上昇を抑えることが可能となり、また、本体内部に入り込んだ埃や塵等を通気孔から外部に除去することができるので、電子回路や電子部品の損傷を防止することが可能となる。
【図面の簡単な説明】
【図１】テレビジョン受像機を前面から見た斜視図である。
【図２】テレビジョン受像機を背面から見た斜視図である。
【図３】テレビジョン受像機を側面から見た断面図である。
【図４】膜体と通風孔の詳細構造を示す断面図である。
【図５】テレビジョン受像機における換気状態を説明する図である。
【図６】テレビジョン受像機の電気的構成を示すブロックである。
【図７】ＣＲＴに表示された換気表示の一例を示す図である。
【符号の説明】
１    本体
２        フレーム
４ａ〜４ｆ  通気孔
５    ＣＲＴ
８    膜体
９    つまみ部
１４  通風孔
２０  発熱部品
２４  ＯＳＤ回路
２８  マイクロコンピュータ
３０  温度センサ
３１  湿度センサ
４１、４３  換気表示
１００  テレビジョン受像機
【図１】
2004364072.tif 000003
【図２】
2004364072.tif 000004
【図３】
2004364072.tif 000005
【図４】
2004364072.tif 000006
【図５】
2004364072.tif 000007
【図６】
2004364072.tif 000008
【図７】
2004364072.tif 000009